(57)【特許請求の範囲】
【請求項１】
笠木と、縦桟と、縦桟間に設けた左右方向に伸縮自在なリンクとを備え、笠木は複数の笠木材を有し、リンクが縮むにつれて各笠木材が分離しながら独立して上方に回動することを特徴とする伸縮門扉。
【請求項２】
笠木材はリンクと連結してあり、門扉を縮めたときにリンクが縦桟との連結箇所を支点に上方に回動し、それに伴って笠木材が上方に回動することを特徴とする請求項１記載の伸縮門扉。
【請求項３】
笠木材は一方側の縦桟に連結してあり、門扉を縮めたときにリンクが縦桟との連結箇所を支点に上方に回動し、それに伴って笠木材が縦桟との連結箇所を支点に上方に回動することを特徴とする請求項１記載の伸縮門扉。
【請求項４】
リンクは、縦桟間の上部に設けた上部リンクと、上部リンクよりも下方の縦桟間に設けた下部リンクとを有していることを特徴とする請求項１，２又は３記載の伸縮門扉。
【請求項５】
リンクは、縦桟間の上部に設けた上部リンクと、上部リンクよりも下方の縦桟間に設けた下部リンクとを有し、上部リンクは、第１上部リンク部材と第２上部リンク部材とを有し、第１上部リンク部材は、左右方向の一方側端部を一方側の縦桟の上部に回動自在に連結し、他方側端部を笠木材に固定してあり、第２上部リンク部材は、一方側端部を笠木材に回動自在に連結し、他方側端部を他方側の縦桟の上部に回動自在に連結してあることを特徴とする請求項２記載の伸縮門扉。
【請求項６】
笠木材は断面略下向きコ字状であり、第１上部リンク部材は水平部と垂直部を有する略Ｌ字形に形成してあり、水平部を笠木材の内側に配置し、垂直部を縦桟と見込み方向に重なるように配置してあることを特徴とする請求項５記載の伸縮門扉。
【請求項７】
笠木材は断面略下向きコ字状であり、第１上部リンク部材は、一方側端部に設けた下向き傾斜部と水平部とを有し、下向き傾斜部の先端部を一方側の縦桟の上部に回動自在に連結し、水平部を笠木材に固定してあり、第２上部リンク部材は、一方側端部に設けた上向き傾斜部と水平部とを有し、上向き傾斜部の先端部を笠木材に回動自在に連結し、水平部の先端部を他方側の縦桟の上部に回動自在に連結してあり、第１上部リンク部材の水平部が笠木材の内側に配置してあることを特徴とする請求項５記載の伸縮門扉。
【請求項８】
リンクは、縦桟間の上部に設けた上部リンクと、上部リンクよりも下方の縦桟間に設けた下部リンクとを有し、上部リンクは、第１上部リンク部材と第２上部リンク部材とを有し、第１上部リンク部材は、一方側端部を一方側の縦桟の上部に回動自在に連結してあり、第２上部リンク部材は、他方側端部を他方側の縦桟の上部に回動自在に連結してあり、第１上部リンク部材の他方側端部と第２上部リンク部材の一方側端部を見込み方向の軸で軸着してあり、軸は笠木材の長手方向に沿って移動自在としてあることを特徴とする請求項３記載の伸縮門扉。
【請求項９】
下部リンクは、第１下部リンク部材と第２下部リンク部材とを有し、第１下部リンク部材は、一方側端部を一方側の縦桟に回動自在に且つ縦桟の長手方向に沿って移動自在に連結し、他方側端部を他方側の縦桟の下部に回動自在に連結してあり、第２下部リンク部材は、一方側端部を一方側の縦桟の下部に回動自在に連結し、他方側端部を他方側の縦桟に回動自在に且つ縦桟の長手方向に沿って移動自在に連結してあることを特徴とする請求項５，６，７又は８記載の伸縮門扉。
【請求項１０】
第１下部リンク部材は、一方側端部に設けた上向き傾斜部と、他方側端部に設けた下向き傾斜部と、両傾斜部を繋ぐ水平部とを有するものであり、第２下部リンク部材は、一方側端部に設けた下向き傾斜部と、他方側端部に設けた上向き傾斜部と、両傾斜部を繋ぐ水平部とを有するものであり、両リンク部材の上向き傾斜部の先端部を縦桟に回動自在に且つ縦桟の長手方向に沿って移動自在に連結してあり、下向き傾斜部の先端部を縦桟の下部に回動自在に連結してあり、水平部が見込方向に重なっていることを特徴とする請求項９記載の伸縮門扉。
【請求項１１】
第１下部リンク部材と第２下部リンク部材との間に付勢部材が設けてあり、付勢部材は下部リンクが縮む方向に付勢していることを特徴とする請求項９又は１０記載の伸縮門扉。
【請求項１２】
縦桟同士の間に中間縦桟を設けてあり、中間縦桟は、上部を第１上部リンク部材と第２上部リンク部材の交差部に連結し、下部を第１下部リンク部材と第２下部リンク部材の交差部に連結してあることを特徴とする請求項９，１０又は１１記載の伸縮門扉。
【請求項１３】
笠木を縦桟に載置していることを特徴とする請求項１，２，３，４，５，６，７，８，９，１０，１１又は１２記載の伸縮門扉。
【請求項１４】
笠木材は断面が略下向きコ字状であり、笠木材の内側にリンクを連結するための連結金具を有し、連結金具は下縁部に切り欠きを設けてあることを特徴とする請求項１，２，３，４，５，６，７，８，９，１０，１１，１２又は１３記載の伸縮門扉。
【請求項１５】
縦桟は、左右方向に３つ以上設けてあり、笠木は、複数の笠木材を直線状に配置してあり、各笠木材が縦桟間のリンクにそれぞれ連結してあることを特徴とする請求項１，２，３，４，５，６，７，８，９，１０，１１，１２，１３又は１４記載の伸縮門扉。
【請求項１６】
笠木材の一方側の端部が、一方側の縦桟より他方側に位置していることを特徴とする請求項１５記載の伸縮門扉。
【請求項１７】
笠木材の一方側の端部が、一方側の縦桟の上端部に回動自在に連結してあることを特徴とする請求項１５記載の伸縮門扉。
【請求項１８】
笠木材は長手方向の端部にキャップを有し、隣接する笠木材のキャップ同士が嵌合していることを特徴とする請求項１５，１６又は１７記載の伸縮門扉。
【請求項１９】
縦桟の下部に見込方向に間隔をおいてキャスターが取付けてあり、キャスターの取付間隔を左右方向に並ぶ複数の縦桟で交互に異ならせていることを特徴とする請求項１，２，３，４，５，６，７，８，９，１０，１１，１２，１３，１４，１５，１６，１７又は１８記載の伸縮門扉。
【発明の詳細な説明】
【技術分野】
【０００１】
本発明は、伸縮門扉に関する。
【背景技術】
【０００２】
近年、都市部の住宅等においては、敷地の境界にブロックを積んだりせずに、視線が抜けるオープンな感覚の外構が好まれる傾向がある。従来の一般的な伸縮門扉は、図２３に示すように、多数の縦桟９０，９０，…を伸縮自在なパンタグラフ状のリンク９１で繋いだものとなっている。このような伸縮門扉は、縦桟９０同士の間隔Ｐが２０ｃｍ前後と比較的狭く、且つ斜めの格子状となったリンク９１が視線を遮るため、重く閉鎖的な印象を与え、オープンな感覚の外構とマッチしないものとなっていた。また、フェンスや引戸式の門扉では笠木を備えたものはあるが、伸縮門扉で笠木を備えたものはなかった。
【発明の開示】
【発明が解決しようとする課題】
【０００３】
本発明は以上に述べた実情に鑑み、笠木を備えた伸縮門扉を提供すること、さらにはオープンな感覚の外構とよくマッチする軽快な印象の伸縮門扉の提供を目的とする。
【課題を解決するための手段】
【０００４】
上記の課題を達成するために請求項１記載の発明による伸縮門扉は、笠木と、縦桟と、縦桟間に設けた左右方向に伸縮自在なリンクとを備え、笠木は複数の笠木材を有し、リンクが縮むにつれて各笠木材が分離しながら独立して上方に回動することを特徴とする。
【０００５】
請求項２記載の発明による伸縮門扉は、請求項１記載の発明の構成に加え、笠木材はリンクと連結してあり、門扉を縮めたときにリンクが縦桟との連結箇所を支点に上方に回動し、それに伴って笠木材が上方に回動することを特徴とする。
【０００６】
請求項３記載の発明による伸縮門扉は、請求項１記載の発明の構成に加え、笠木材は一方側の縦桟に連結してあり、門扉を縮めたときにリンクが縦桟との連結箇所を支点に上方に回動し、それに伴って笠木材が縦桟との連結箇所を支点に上方に回動することを特徴とする。
【０００７】
請求項４記載の発明による伸縮門扉は、請求項１，２又は３記載の発明の構成に加え、リンクは、縦桟間の上部に設けた上部リンクと、上部リンクよりも下方の縦桟間に設けた下部リンクとを有していることを特徴とする。
【０００８】
請求項５記載の発明による伸縮門扉は、請求項２記載の発明の構成に加え、リンクは、縦桟間の上部に設けた上部リンクと、上部リンクよりも下方の縦桟間に設けた下部リンクとを有し、上部リンクは、第１上部リンク部材と第２上部リンク部材とを有し、第１上部リンク部材は、左右方向の一方側端部を一方側の縦桟の上部に回動自在に連結し、他方側端部を笠木材に固定してあり、第２上部リンク部材は、一方側端部を笠木材に回動自在に連結し、他方側端部を他方側の縦桟の上部に回動自在に連結してあることを特徴とする。
【０００９】
請求項６記載の発明による伸縮門扉は、請求項５記載の発明の構成に加え、笠木材は断面略下向きコ字状であり、第１上部リンク部材は水平部と垂直部を有する略Ｌ字形に形成してあり、水平部を笠木材の内側に配置し、垂直部を縦桟と見込み方向に重なるように配置してあることを特徴とする。第１上部リンク部材の水平部は、笠木材の内側に全体が収納してあってもよいし、一部が笠木材の下方に出ていてもよい。
【００１０】
請求項７記載の発明による伸縮門扉は、請求項５記載の発明の構成に加え、笠木材は断面略下向きコ字状であり、第１上部リンク部材は、一方側端部に設けた下向き傾斜部と水平部とを有し、下向き傾斜部の先端部を一方側の縦桟の上部に回動自在に連結し、水平部を笠木材に固定してあり、第２上部リンク部材は、一方側端部に設けた上向き傾斜部と水平部とを有し、上向き傾斜部の先端部を笠木材に回動自在に連結し、水平部の先端部を他方側の縦桟の上部に回動自在に連結してあり、第１上部リンク部材の水平部が笠木材の内側に配置してあることを特徴とする。第１上部リンク部材の水平部は、笠木材の内側に全体が収納してあってもよいし、一部が笠木材の下方に出ていてもよい。
【００１１】
請求項８記載の発明による伸縮門扉は、請求項３記載の発明の構成に加え、リンクは、縦桟間の上部に設けた上部リンクと、上部リンクよりも下方の縦桟間に設けた下部リンクとを有し、上部リンクは、第１上部リンク部材と第２上部リンク部材とを有し、第１上部リンク部材は、一方側端部を一方側の縦桟の上部に回動自在に連結してあり、第２上部リンク部材は、他方側端部を他方側の縦桟の上部に回動自在に連結してあり、第１上部リンク部材の他方側端部と第２上部リンク部材の一方側端部を見込み方向の軸で軸着してあり、軸は笠木材の長手方向に沿って移動自在としてあることを特徴とする。
【００１２】
請求項９記載の発明による伸縮門扉は、請求項５，６，７又は８記載の発明の構成に加え、下部リンクは、第１下部リンク部材と第２下部リンク部材とを有し、第１下部リンク部材は、一方側端部を一方側の縦桟に回動自在に且つ縦桟の長手方向に沿って移動自在に連結し、他方側端部を他方側の縦桟の下部に回動自在に連結してあり、第２下部リンク部材は、一方側端部を一方側の縦桟の下部に回動自在に連結し、他方側端部を他方側の縦桟に回動自在に且つ縦桟の長手方向に沿って移動自在に連結してあることを特徴とする。
【００１３】
請求項１０記載の発明による伸縮門扉は、請求項９記載の発明の構成に加え、第１下部リンク部材は、一方側端部に設けた上向き傾斜部と、他方側端部に設けた下向き傾斜部と、両傾斜部を繋ぐ水平部とを有するものであり、第２下部リンク部材は、一方側端部に設けた下向き傾斜部と、他方側端部に設けた上向き傾斜部と、両傾斜部を繋ぐ水平部とを有するものであり、両リンク部材の上向き傾斜部の先端部を縦桟に回動自在に且つ縦桟の長手方向に沿って移動自在に連結してあり、下向き傾斜部の先端部を縦桟の下部に回動自在に連結してあり、水平部が見込方向に重なっていることを特徴とする。
【００１４】
請求項１１記載の発明による伸縮門扉は、請求項９又は１０記載の発明の構成に加え、第１下部リンク部材と第２下部リンク部材との間に付勢部材が設けてあり、付勢部材は下部リンクが縮む方向に付勢していることを特徴とする。
【００１５】
請求項１２記載の発明による伸縮門扉は、請求項９，１０又は１１記載の発明の構成に加え、縦桟同士の間に中間縦桟を設けてあり、中間縦桟は、上部を第１上部リンク部材と第２上部リンク部材の交差部に連結し、下部を第１下部リンク部材と第２下部リンク部材の交差部に連結してあることを特徴とする。
【００１６】
請求項１３記載の発明による伸縮門扉は、請求項１，２，３，４，５，６，７，８，９，１０，１１又は１２記載の発明の構成に加え、笠木を縦桟に載置していることを特徴とする。
【００１７】
請求項１４記載の発明による伸縮門扉は、請求項１，２，３，４，５，６，７，８，９，１０，１１，１２又は１３記載の発明の構成に加え、笠木材は断面が略下向きコ字状であり、笠木材の内側にリンクを連結するための連結金具を有し、連結金具は下縁部に切り欠きを設けてあることを特徴とする。
【００１８】
請求項１５記載の発明による伸縮門扉は、請求項１，２，３，４，５，６，７，８，９，１０，１１，１２，１３又は１４記載の発明の構成に加え、縦桟は、左右方向に３つ以上設けてあり、笠木は、複数の笠木材を直線状に配置してあり、各笠木材が縦桟間のリンクにそれぞれ連結してあることを特徴とする。
【００１９】
請求項１６記載の発明による伸縮門扉は、請求項１５記載の発明の構成に加え、笠木材の一方側の端部が、一方側の縦桟より他方側に位置していることを特徴とする。
【００２０】
請求項１７記載の発明による伸縮門扉は、請求項１５記載の発明の構成に加え、笠木材の一方側の端部が、一方側の縦桟の上端部に回動自在に連結してあることを特徴とする。
【００２１】
請求項１８記載の発明による伸縮門扉は、請求項１５，１６又は１７記載の発明の構成に加え、笠木材は長手方向の端部にキャップを有し、隣接する笠木材のキャップ同士が嵌合していることを特徴とする。
【００２２】
請求項１９記載の発明による伸縮門扉は、請求項１，２，３，４，５，６，７，８，９，１０，１１，１２，１３，１４，１５，１６，１７又は１８記載の発明の構成に加え、縦桟の下部に見込方向に間隔をおいてキャスターが取付けてあり、キャスターの取付間隔を左右方向に並ぶ複数の縦桟で交互に異ならせていることを特徴とする。
【発明の効果】
【００２３】
請求項１記載の発明による伸縮門扉は、笠木を備えていることでフェンスや手摺のような印象を与えるものとなり、笠木はリンクが縮むにつれて複数の笠木材に分離しながら独立して上方に回動するため、門扉を開けたときに笠木が通行の邪魔にならない。
【００２４】
請求項２記載の発明による伸縮門扉は、笠木材がリンクと連結してあり、門扉を縮めたときにリンクが上方に回動するのに伴って笠木材が安定して上方に回動する。
【００２５】
請求項３記載の発明による伸縮門扉は、笠木材が一方側の縦桟と連結してあることで、門扉の伸縮時に笠木材が縦桟との連結箇所を支点として安定して回動する。
【００２６】
請求項４記載の発明による伸縮門扉は、縦桟同士を繋ぐリンクを、縦桟間の上部に設けた上部リンクと、上部リンクよりも下方に設けた下部リンクとで構成してあり、上部リンクと下部リンクの間を視線が抜けるので、オープン感覚の外構とマッチする軽快な印象の伸縮門扉とすることができる。
【００２７】
請求項５記載の発明による伸縮門扉は、上部リンクを２本のリンク部材で簡潔に構成でき、また笠木材は、第１上部リンク部材の他方側端部が固定してあるので、門扉を縮めたときには第１上部リンク部材と共に安定して上方に回動する。
【００２８】
請求項６記載の発明による伸縮門扉は、第１上部リンク部材が笠木材と縦桟に隠れるため、より一層シンプルで開放的な印象になる。
【００２９】
請求項７記載の発明による伸縮門扉は、第１上部リンク部材の水平部が笠木材に隠れ、且つ第２上部リンク部材の水平部が笠木材と平行に見えるため、上部リンクを目立たなくすることができる。
【００３０】
請求項８記載の発明による伸縮門扉は、上部リンクを２本のリンク部材で簡潔に構成でき、また笠木材は一方側の縦桟と連結してあり、第１上部リンク部材と第２上部リンク部材とを軸着している軸を笠木材の長手方向に沿って移動自在としてあることで、門扉伸縮時に笠木材が縦桟との連結箇所を支点として安定して回動する。
【００３１】
請求項９記載の発明による伸縮門扉は、下部リンクを２本のリンク部材で簡潔に構成できる。
【００３２】
請求項１０記載の発明による伸縮門扉は、下部リンクを構成する第１・第２下部リンク部材に水平部を設けてあり、両リンク部材の水平部が見込方向に重なっているので、下部リンクがすっきりした印象になると共に縦桟同士の間隔を広くすることができ、より一層オープンな感覚のものとなる。しかも、第１・第２下部リンク部材の縦桟と連結する端部に上向き傾斜部と下向き傾斜部を設けたので、縦桟同士の間隔を広くしても、下部リンクが軽い力でスムーズに伸縮する。
【００３３】
請求項１１記載の発明による伸縮門扉は、第１下部リンク部材と第２下部リンク部材の間に付勢部材を設けてあり、付勢部材は下部リンクが縮む方向に付勢しているので、門扉が全開又は半開きのときに、持ち上げられた笠木の自重で門扉が自然に伸びようとするのを防ぐことができ、門扉を任意の伸縮状態で停止できる。また、門扉を縮めるときの力を軽減できる。
【００３４】
請求項１２記載の発明による伸縮門扉は、縦桟同士の間に中間縦桟を設け、中間縦桟の上部を第１上部リンク部材と第２上部リンク部材の交差部に連結し、下部を第１下部リンク部材と第２下部リンク部材の交差部に連結したことで、門扉伸縮時の上部リンクと下部リンクの動きが同調するため、門扉がスムーズに安定して伸縮する。
【００３５】
請求項１３記載の発明による伸縮門扉は、笠木を縦桟に載置したことで、笠木を安定して支持できる。
【００３６】
請求項１４記載の発明による伸縮門扉は、断面略下向きコ字状の笠木材の内側にリンクを連結するための連結金具を有し、連結金具は下縁部に切り欠きを設けてあるので、門扉を閉める際に、下降してくる笠木材とリンクとの間での指挟みを防止できる。
【００３７】
請求項１５記載の発明による伸縮門扉は、縦桟を左右方向に３つ以上設け、笠木は複数の笠木材を縦桟間のリンクにそれぞれ連結して直線状に配置したので、広い間口にも対応できる。
【００３８】
請求項１６記載の発明による伸縮門扉は、笠木材の一方側の端部が一方側の縦桟より他方側に位置しているので、門扉を縮めたときに笠木材の一方側の端部が縦桟やリンクとぶつかることがなく、伸縮門扉の畳み幅を小さくできる。
【００３９】
請求項１７記載の発明による伸縮門扉は、笠木材の一方側の端部を一方側の縦桟の上端部に回動自在に連結してあるので、門扉を縮めたときに笠木材の一方側の端部が縦桟やリンクとぶつかることがなく、伸縮門扉の畳み幅を小さくできる。
【００４０】
請求項１８記載の発明による伸縮門扉は、隣接する笠木材のキャップ同士が嵌合することで、隣接する笠木材の端部が互いにずれるのを防ぎ、笠木を一直線の状態に保持できる。
【００４１】
請求項１９記載の発明による伸縮門扉は、キャスターの取付間隔を左右方向に並ぶ複数の縦桟で交互に異ならせていることで、門扉を縮めたときにキャスター同士が干渉せず、伸縮門扉のたたみ幅を小さくして狭いスペースに収納できる。
【発明を実施するための最良の形態】
【００４２】
以下、本発明の実施の形態を図面に基づいて説明する。図１〜図１１は、本発明の伸縮門扉の第１実施形態を示している。本伸縮門扉は、図１に示すように、複数の縦桟２，２，…が左右方向に一定の間隔Ｐをおいて配置してあり、縦桟２の上部を左右方向に伸縮自在な上部リンク３で連結し、縦桟２の下部を左右方向に伸縮自在な下部リンク６で連結してある。縦桟２同士の間には中間縦桟１３が設けてあり、中間縦桟１３は上部リンク３と下部リンク６とを連結している。縦桟２の下端部には、キャスター１４が取付けてある。左端の縦桟２には戸先框１５が取付けてあり、戸先框１５には支柱１６ａへの掛止具１７と操作ハンドル１８とを備えている。右端の縦桟２には吊元框１９が取付けてあり、吊元框１９は支柱１６ｂにヒンジ２０で取付けてある。
本伸縮門扉の上面には、笠木１を備えている。笠木１は、縦桟２同士の間で分割した複数の笠木材１ａ，１ａ，…を一直線状に配置して構成され、左から２番目と３番目の縦桟２の間、３番目と４番目の縦桟２の間、４番目と５番目の縦桟２の間に笠木の継ぎ目２１がある。笠木の継ぎ目２１は、それぞれ左側の縦桟２から右側に所定の距離だけ離れた位置に位置している。すなわち、左端のものを除く各笠木材１ａの左側の端部が、それぞれ左側の縦桟２から所定の距離だけ右側に位置している。本伸縮門扉は、縦桟２同士の間隔Ｐが約６０ｃｍと従来のものより大幅に広くなっており、尚且つ上部リンク３と下部リンク６との間が広く空いていることから、見込方向に視線が抜けるオープンな感覚の意匠になっている。また、笠木１を設けたことと、下部リンク６に水平部７ｃ，８ｃを設けたことにより、手摺やフェンスのような直線的ですっきりした意匠になっている。
図９は本伸縮門扉を途中まで縮めた状態、図１０は本伸縮門扉を最も縮めた状態を示している。これらの図に示すように、本伸縮門扉を縮めてゆくと上部リンク３は中間部で山形に折れ曲がって上方に突き上げるようにして縮み、各笠木材１ａは上部リンク３にそれぞれ支持されており、上部リンク３が縮むにつれて上部リンク３に押し上げられて上方に回動する。
以下、各部の構造について詳細に説明する。
【００４３】
縦桟２は、図５〜７に示すように、一側面に長手方向にスリット２２が形成された略Ｃ字状断面のアルミ押出形材よりなり、スリット２２を内側に向けて前側と後側に対向して設けてある。前後の縦桟２は、図２に示すように、下端部をステー２３で連結してある。縦桟２の上端部には、図４に示すように、樹脂製のキャップ２４が取付けてある。キャップ２４は、笠木材１ａの下縁部を受ける笠木載置面２４ａと、その内側に斜め上方に傾斜してのびる笠木ガイド部２４ｂを有している。図１に示すように本伸縮門扉をいっぱいに伸ばして門扉を閉じた状態では、笠木材１ａはキャップ２４の笠木載置面２４ａ上に載置されており、これにより笠木材１ａを水平に安定して支持できる。また、図９に示すような状態から本伸縮門扉を伸ばして門扉を閉じるときには、笠木材１ａは正面図で時計方向に回動しながら下降するが、キャップ２４の笠木ガイド部２４ｂにガイドされることで、笠木材１ａは常に門扉の見込方向の中心位置に、左右方向に対してまっすぐに載置される。
【００４４】
上部リンク３は、図１に示すように、縦桟２，２間の上部に左右対称に斜めに配置された第１上部リンク部材４と第２上部リンク部材５よりなる。各リンク部材４，５は、矩形断面のアルミ押出形材を使用したもので、図１と図５に示すように、第１上部リンク部材４の左側端部と第２上部リンク部材５の右側端部が、それぞれ見込方向の軸２５で縦桟２の上部に回動自在に連結してあり、第１上部リンク部材４の右側端部と第２上部リンク部材５の左側端部とを交差させて見込方向の軸２６で回動自在に連結してある。なお、図中の符号５１は、縦桟２、第１上部リンク部材４、第２上部リンク部材５、中間縦桟１３の間隔を保持するために軸に嵌めたスペーサーである。
【００４５】
笠木材１ａは、図４に示すように、下側が開口した略下向きコ字状断面のアルミ押出形材よりなる。笠木材１ａの裏面には、後述する連結金具１０を取付けるための裏板２７の保持溝２８が設けてあり、当該溝２８内に裏板２７を保持している。また、笠木材１ａの下縁部にはタイト材保持溝２９が長手方向に設けてあり、タイト材保持溝２９にタイト材３０を取付けている。そのため、門扉を閉じる際に万が一縦桟２の上端部と笠木材１ａとの間に指を挟んだとしても、タイト材３０があることで指を怪我することがない。
笠木材１ａの左右の端部には、図３と図１２に示すように、樹脂製のキャップ９ａ，９ｂがそれぞれ取付けてある。左側端部のキャップ９ａは、図１２（ａ）（ｂ）に示すように、上向きの傾斜面３１と、その傾斜面より突出する嵌合凸部３２を有している。右側端部のキャップ９ｂは、図１２（ａ）（ｃ）に示すように、下向きの傾斜面３３と、前記嵌合凸部３２と嵌合する嵌合凹部３４と、嵌合凹部３４の下方に連続してハの字形に設けたガイド壁３５とを有している。門扉を閉じる際には、図１２（ａ）の矢印に示すように、左側端部のキャップ９ａに上方から右側端部のキャップ９ｂが乗り、嵌合凸部３２が嵌合凹部３４に嵌合する。このようにキャップ９ａ，９ｂ同士が嵌合することで、笠木材１ａに見込方向に力が加わっても笠木の継ぎ目２１が前後にずれることがなく、また、笠木材１ａに上方から力が加わっても笠木の継ぎ目２１が上下にずれることがない。また、嵌合凹部３４の下方にガイド壁３５が設けてあることで、門扉を閉めるときにキャップ９ａ，９ｂ同士が見込方向に多少ずれていても、嵌合凸部３２がガイド壁３５にガイドされて嵌合凹部３４に確実に嵌合する。
【００４６】
図３〜５に示すように、笠木材１ａの内側には、笠木材１ａと上部リンク３とを連結する連結金具１０が設けてある。連結金具１０は、上面板１０ａと前後の側板１０ｂ，１０ｂを備え、上面板１０ａを笠木材１ａの裏側に保持した裏板２７にネジ３６で固定して笠木材１ａに取付けている。側板１０ｂには、第１上部リンク部材４と第２上部リンク部材５の交差部を連結している軸２６を挿通し固定してある。側板１０ｂの下縁部には、図３に示すように切り欠き１１が設けてある。また連結金具１０は、第１上部リンク部材４の右側端部に差し込む差込部１０ｃが一体に設けてあり、この差込部１０ｃを第１上部リンク部材４の右側端部に差し込んでネジ３７で固定してある。
門扉を縮めてゆくと、図９，１０に示すように、第１上部リンク部材４と第２上部リンク部材５は、端部を軸２６で連結した状態で縦桟２と連結している軸２５を支点に上方に回動し、上部リンク３が縮む。笠木材１ａは、上述のように連結金具１０と第１上部リンク部材４とを固定してあるため、第１上部リンク部材４と一定の角度を保ち、第１上部リンク部材４と一体となって上方に回動する。左から２，３，４番目の笠木材１ａは、左側の端部が左側の縦桟２より所定の距離だけ右側に位置するようにしたので、回動したときに笠木材１ａの左側の端部が左隣の縦桟２や第２上部リンク部材５とぶつからず、伸縮門扉の畳み幅を小さくできる。門扉を閉じる際には、笠木材１ａが下方に回動して第２上部リンク部材５との間の角度が次第に小さくなるが、上述のように連結金具１０の下縁部に切り欠き１１を設けてあることで、笠木材１ａと第２上部リンク部材５との間に指が挟まれて怪我をするのを防止している。
【００４７】
下部リンク６は、図６〜８に示すように、縦桟２間の下部に見込方向に間隔をおいて配置した第１下部リンク部材７と第２下部リンク部材８よりなる。第１下部リンク部材７は、左側端部に設けた上向き傾斜部７ａと、右側端部に設けた下向き傾斜部７ｂと、両傾斜部を繋ぐ水平部７ｃとを有するものとなっている。第２下部リンク部材８は、第１下部リンク部材７とは左右が逆になっており、左側端部に下向き傾斜部８ｂを、右側端部に上向き傾斜部８ａを有し、両傾斜部間に水平部８ｃを有している。門扉を閉じた状態では、図１，８に示すように、第１下部リンク部材７の水平部７ｃと第２下部リンク部材８の水平部８ｃとが見込方向に重なっている。第１下部リンク部材７は、図１３に示すように、上向き傾斜部７ａ、下向き傾斜部７ｂ、水平部７ｃを、それぞれ矩形断面のアルミ押出形材を所定長さに切断して形成し、略「く」の字形に形成した連結具３８の差込部３８ａ，３８ｂを切断した形材の端部にそれぞれ差し込んでネジ３９で固定することで、上向き傾斜部７ａと水平部７ｃ、下向き傾斜部７ｂと水平部７ｃとをそれぞれ連結して形成している。第２下部リンク部材８も、第１下部リンク部材７と同様に形成している。
図６と図８に示すように、第１下部リンク部材７の上向き傾斜部７ａの先端部と、第２下部リンク部材８の上向き傾斜部８ａの先端部とには見込方向に軸４０が挿通してあり、この軸４０の前後端部にはローラ４１がそれぞれ取付けてあり、各ローラ４１は前側と後側の縦桟２内に長手方向に移動自在に保持してある。第１下部リンク部材７の下向き傾斜部７ｂの先端部と、第２下部リンク部材８の下向き傾斜部８ｂの先端部とには、図７，８に示すように、見込方向に軸４２が挿通してあり、この軸４２は前側と後側の縦桟２にビス４３で固定してある。また、第１下部リンク部材７の水平部７ｃと第２下部リンク部材８の水平部８ｃの中心には、図６と図８に示すように、見込方向に軸４４を挿通して両リンク部材７，８を連結している。
【００４８】
下部リンク６は、門扉を縮めてゆくと、図９と図１０に示すように、水平部７ｃ，８ｃの中心を軸４４で連結した状態で、第１下部リンク部材７は下側の軸４２を支点として時計方向に回動し、第２下部リンク部材８は下側の軸４２を支点として反時計方向に回動して縮む。このとき上側の軸４０は、縦桟２に沿って上方に移動する。本実施形態のように、下部リンク６に水平部７ｃ，８ｃを設けることで、縦桟２同士の間隔Ｐを広くできるとともに、下部リンク６が目立たないすっきりした意匠になる。しかも、第１・第２下部リンク部材７，８の両端部に上向き傾斜部７ａ，８ａと下向き傾斜部７ｂ，８ｂをそれぞれ設けてあるので、操作ハンドル１８を介して門扉を縮める方向に力を加えたときには上側の軸４０に上向きの力が作用し、門扉を伸ばす方向に力を加えたときには上側の軸４０に下向きの力が作用するから、下部リンク６が軽い力でスムーズに伸縮する。
【００４９】
第１・第２下部リンク部材の下向き傾斜部７ｂ，８ｂの先端部を連結している軸４２には、図７に示すように捻りバネ１２を遊嵌して設けてあり、捻りバネ１２の前後の端部１２ａ，１２ｂを各リンク部材の下向き傾斜部７ｂ，８ｂに形成した孔４５に係止している。捻りバネ１２は、図１０，１４に示すように、下部リンク６が最も縮んだときの状態で下向き傾斜部７ｂ，８ｂ間に取付けており、下部リンク６が伸びるにつれて下部リンク６を縮める方向に付勢力５０が働くようになっている。図９に示すように、門扉が半開きの状態のときには、笠木材１ａや上部リンク３の自重により、そのままでは伸縮門扉が勝手に伸びようとするが、上述のように下部リンク６を縮める方向に捻りバネ１２の付勢力５０が働くことで、各縦桟２及び戸先框１５を左右方向の任意の位置に停止させて半開きの状態を維持できる。また、そのように下部リンク６を縮める方向に捻りバネ１２の付勢力５０が働いていることで、門扉を縮める際の操作力を軽減できる。
【００５０】
中間縦桟１３は、第１上部リンク部材４と第２上部リンク部材５の端部同士を連結している軸２６を上端部に挿通し、第１下部リンク部材７と第２下部リンク部材８の中心部同士を連結している軸４４を下端部に挿通して取付けてある。このように中間縦桟１３を設けることで、門扉伸縮時の上部リンク３と下部リンク６の動きが同調し、上部リンク３と下部リンク６が別々に動くことがなくなるので、門扉がスムーズに安定して伸縮するようになる。門扉伸縮時や半開きの状態のときに縦桟２が左右方向に傾くこともない。また、門扉全体の堅牢性、耐久性が高められる。
【００５１】
キャスター１４は、図１，２に示すように、左から１〜４番目の縦桟２の下端部に、見込方向に間隔をあけてそれぞれ２つずつ取付けてあり、左右方向に並ぶ複数の縦桟２，２，…でキャスター１４の取付間隔ｐ１，ｐ２を交互に異ならせている。キャスター１４は、垂直軸１４ａ回りに回動する自在キャスターを用いている。このように隣り合う縦桟２のキャスター１４の取付間隔ｐ１，ｐ２を違わせることで、図１１に示すように、門扉を縮めたときにキャスター１４同士が干渉するのを防止して、伸縮門扉の畳み幅Ｌを小さくできる利点がある。また本伸縮門扉は、吊元框１９を支柱１６ｂにヒンジ２０で取付けてあると共にキャスター１４を自在キャスターとしてあるので、図１１中に二点鎖線で示すように、縮めた伸縮門扉をヒンジ２０を介して回転収納し、左右の支柱１６ａ，１６ｂ間の間口を全開できる。
【００５２】
図１５は本発明の伸縮門扉の第２実施形態を示しており、図１６はこの伸縮門扉の縮めた状態を示している。第１実施形態とは、上部リンク３（第１上部リンク部材４）の形態が異なっている。
第１上部リンク部材４は、水平部４ｂと垂直部４ｃとを有するＬ字形に形成してあり、門扉を閉じた状態で水平部４ｂは笠木材１ａの内側に収容され、垂直部４ｃは前後の縦桟２，２と見込方向に重なっている。第２上部リンク部材５は第１実施形態と同様に設けてある。
本実施形態によれば、門扉を閉じた状態で第１上部リンク部材４が笠木材１ａと縦桟２に隠れて見えないため、より一層シンプルで開放的な印象になる。
【００５３】
図１７は本発明の伸縮門扉の第３実施形態を示しており、図１８は本伸縮門扉を縮めたときの状態を示している。第１実施形態とは、上部リンク３の形態が異なっている。
第１上部リンク部材４は、左側端部に設けた下向き傾斜部４ａと水平部４ｂとを有するへの字形に形成してあり、下向き傾斜部４ａの先端部を左側の縦桟２の上部に軸２５で回動自在に連結し、水平部４ｂの先端部を笠木材１ａに軸２６で連結してある。水平部４ｂは笠木材１ａの内側に収容してあり、水平部４ｂと笠木材１ａとをネジ４８で固定してある。第２上部リンク部材５は、左側端部に設けた上向き傾斜部５ａと水平部５ｂとを有する逆への字形に形成してあり、上向き傾斜部５ａの先端部を笠木材１ａに軸２６で回動自在に連結し、水平部５ｂの先端部を右側の縦桟２の上部に軸２５で回動自在に連結してある。中間縦桟１３は、門扉を閉じた状態で下端面が地面４９に接地するように下方に伸ばしてある。
本実施形態によれば、第１上部リンク部材４の水平部４ｂが笠木材１ａに隠れ、且つ第２上部リンク部材５の水平部５ｂが笠木１と平行に見えるため、上部リンク３が目立たなくなり、より一層シンプルで開放的な印象になる。また、門扉を閉じる際における笠木材１ａと第２上部リンク部材５との間での指挟みを防止できる。中間縦桟１３を下方に伸ばして地面４９に接地することで、笠木材１ａを安定して支持できる。
【００５４】
図１９は本発明の伸縮門扉の第４実施形態を示しており、図２０は図１９のＡ−Ａ断面図であり、図２１は図１９のＸ部詳細図であり、図２２は本伸縮門扉を途中まで縮めた状態を示している。
笠木１は、複数本の笠木材１ａ，１ａ，…を一直線状に配置して構成され、笠木の継ぎ目２１は左から２，３，４番目の縦桟２のすぐ左側の位置に設けてある。各笠木材１ａは、図２０に示すように、縦桟２の上端部に取付けたブラケット５２に、見込み方向の軸５３で回動自在に連結してある。
リンクは第１実施形態のものと同様に構成してあるが、上部リンク３と笠木材１ａとの連結部分の構成が第１実施形態と異なっている。図２１に示すように、笠木材１ａの裏面に長手方向に沿って形成した溝５４に係合してスライド部材５５が取付けてあり、スライド部材５５に連結金具１０を取付けてあり、連結金具１０は笠木材１ａの長手方向に沿って移動自在としてある。第１上部リンク部材４の右側端部と第２上部リンク部材５の左側端部と中間縦桟１３の上端部は互いに交差させ、連結金具１０に見込み方向の軸２６で軸着してある。
【００５５】
門扉を縮めてゆくと、図２２に示すように、第１上部リンク部材４と第２上部リンク部材５は縦桟２に固定した軸２５を支点に上方に回動し、第１上部リンク部材４と第２上部リンク部材５とを連結している軸２６は笠木材１ａの長手方向に沿って左側に移動し、それに伴って笠木材１ａが軸５３を支点として上方に回動する。本実施形態のものは、笠木材１ａの左側端部を縦桟２の上端部に軸５３で回動自在に連結してあり、且つ上部リンク３が笠木材１ａの長手方向の略中央部を押し上げるため、笠木材１ａを上方に回動させるためのモーメントが小さくなり、門扉を縮める際の操作力をより小さくできる。また、門扉を縮めたときに笠木材１ａの左側端部が上部リンク３や縦桟２と衝突することもない。
【００５６】
上記第４実施形態においては、笠木材１ａを上部リンク３と連結しないで、第１上部リンク部材４と第２上部リンク部材５とを軸着している軸２６に笠木材１ａが乗っかっている状態とすることもできる。
【００５７】
本発明は以上に述べた実施形態に限定されない。上部リンク３及び下部リンク６の形態は適宜変更することができる。上部リンク３と下部リンク６を連結する中間縦桟１３は、省略することもできる。リンクは、門扉を縮めたときに縦桟との連結箇所を支点として上方に回動して上下方向に伸びるものであればよく、必ずしも上部リンクと下部リンクとを有しないものであってもよい。実施形態のものは、左右方向に縦桟同士の間隔４つ分を繋げた４スパンのものとなっているが、１スパンのもの（縦桟が左右２つだけで、笠木材が１つだけのもの）であってもよい。
【図面の簡単な説明】
【００５８】
【図１】（ａ）は本発明の第１実施形態に係る伸縮門扉の平面図であり、（ｂ）は同伸縮門扉の正面図である。
【図２】第１実施形態の伸縮門扉の側面図である。
【図３】図１のＸ部詳細図である。
【図４】図３のＤ−Ｄ断面図である。
【図５】図１のＡ−Ａ断面図である。
【図６】図１のＢ−Ｂ断面図である。
【図７】図１のＣ−Ｃ断面図である。
【図８】下部リンクを示す斜視図である。
【図９】第１実施形態の伸縮門扉を途中まで縮めた状態を示す正面図である。
【図１０】第１実施形態の伸縮門扉を最も縮めた状態を示す正面図である。
【図１１】第１実施形態の伸縮門扉を最も縮めた状態を示す平面図である。
【図１２】（ａ）は笠木の継ぎ目部を上下に分離した状態で示す正面図であり、（ｂ）は（ａ）のＡ矢視図、（ｃ）は（ａ）のＢ矢視図である。
【図１３】第１下部リンク部材を部品ごとに分離した状態で示す正面図である。
【図１４】下部リンクの縦桟への取付状態を示す分解斜視図である。
【図１５】（ａ）は本発明の第２実施形態に係る伸縮門扉の平面図であり、（ｂ）は同伸縮門扉の正面図である。
【図１６】第２実施形態の伸縮門扉を最も縮めた状態を示す正面図である。
【図１７】（ａ）は本発明の第３実施形態に係る伸縮門扉の平面図であり、（ｂ）は同伸縮門扉の正面図である。
【図１８】（ａ）は第３実施形態の伸縮門扉を途中まで縮めた状態の正面図であり、（ｂ）は第３実施形態の伸縮門扉を最も縮めた状態の正面図である。
【図１９】（ａ）は本発明の第４実施形態に係る伸縮門扉の平面図であり、（ｂ）は同伸縮門扉の正面図である。
【図２０】図１９のＡ−Ａ断面図である。
【図２１】図１９のＸ部詳細図である。
【図２２】第４実施形態の伸縮門扉を途中まで縮めた状態を示す正面図である。
【図２３】従来の伸縮門扉を示す正面図である。
【符号の説明】
【００５９】
１  笠木
１ａ  笠木材
２  縦桟
３  上部リンク
４  第１上部リンク部材
４ａ  第１上部リンク部材の下向き傾斜部
４ｂ  第１上部リンク部材の水平部
４ｃ  第１上部リンク部材の垂直部
５  第２上部リンク部材
５ａ  第２上部リンク部材の上向き傾斜部
５ｂ  第２上部リンク部材の水平部
６  下部リンク
７  第１下部リンク部材
７ａ  第１下部リンク部材の上向き傾斜部
７ｂ  第１下部リンク部材の下向き傾斜部
７ｃ  第１下部リンク部材の水平部
８  第２下部リンク部材
８ａ  第２下部リンク部材の上向き傾斜部
８ｂ  第２下部リンク部材の下向き傾斜部
８ｃ  第２下部リンク部材の水平部
９ａ，９ｂ  キャップ
１０  連結金具
１１  切り欠き
１２  捻りバネ（付勢部材）
１３  中間縦桟
１４  キャスター
Ｐ  縦桟同士の間隔
ｐ１，ｐ２  キャスターの取付間隔
【図１】
0005191807.tif 000002
【図２】
0005191807.tif 000003
【図３】
0005191807.tif 000004
【図４】
0005191807.tif 000005
【図５】
0005191807.tif 000006
【図６】
0005191807.tif 000007
【図７】
0005191807.tif 000008
【図８】
0005191807.tif 000009
【図９】
0005191807.tif 000010
【図１０】
0005191807.tif 000011
【図１１】
0005191807.tif 000012
【図１２】
0005191807.tif 000013
【図１３】
0005191807.tif 000014
【図１４】
0005191807.tif 000015
【図１５】
0005191807.tif 000016
【図１６】
0005191807.tif 000017
【図１７】
0005191807.tif 000018
【図１８】
0005191807.tif 000019
【図１９】
0005191807.tif 000020
【図２０】
0005191807.tif 000021
【図２１】
0005191807.tif 000022
【図２２】
0005191807.tif 000023
【図２３】
0005191807.tif 000024